(57)【特許請求の範囲】
【請求項１】
かつら又は増毛具に用いられる取付具であって、
ベース部と、
前記ベース部に沿って配列された複数の櫛歯部と、を備え、
前記複数の櫛歯部は、該複数の櫛歯部の配列方向の一方側に屈曲するとともに他方側に戻るように屈曲しながら前記櫛歯部の長手方向に延びることで前記配列方向の一方側に突出する突出部を有し、
前記突出部の突出量は、前記配列方向において、前記櫛歯部の幅よりも大きく、
前記突出部は、前記配列方向において、隣接する前記櫛歯部の手前側の端部よりも遠くまで又は該手前側の端部と同一位置まで、突出し、
前記突出部は、前記配列方向の前記一方側に屈曲して延びる部分と前記他方側に戻るように屈曲して延びる部分とが直角又は略直角をなし、
前記複数の櫛歯部は、自由端である先端側に直進部を有する、
ことを特徴とする取付具。
【請求項２】
前記複数の櫛歯部の前記突出部は、前記長手方向における前記ベース部からの距離が同一の位置で同一方向に突出することを特徴とする請求項１記載の取付具。
【請求項３】
前記直進部は、前記櫛歯部における、前記ベース部から前記突出部までの距離よりも長い、
ことを特徴とする請求項１又は２記載の取付具。
【請求項４】
前記複数の櫛歯部は、突出方向が反対方向となる前記突出部である第１の突出部及び第２の突出部を有し、
前記第１の突出部と前記第２の突出部とは、連続的に設けられている、
ことを特徴とする請求項１から３のいずれか１項記載の取付具。
【請求項５】
前記複数の櫛歯部は、前記突出部に設けられた滑り止め部を更に有することを特徴とする請求項１から４のいずれか１項記載の取付具。
【請求項６】
前記ベース部に配置された面ファスナを更に備えることを特徴とする請求項１から５のいずれか１項記載の取付具。
【請求項７】
毛髪が植毛されたかつらベースと、
前記かつらベースに固定された、請求項１から６のいずれか１項記載の取付具と、
を備えることを特徴とするかつら。
【請求項８】
毛髪と、
請求項１から６のいずれか１項記載の取付具と、
を備えることを特徴とする増毛具。
【請求項９】
前記取付具に固定され、前記毛髪が植毛される植毛部材を更に備えることを特徴とする請求項８記載の増毛具。
【発明の詳細な説明】
【技術分野】
【０００１】
本発明は、頭髪に取付けられる取付具、並びにこの取付具を備えるかつら及び増毛具に関する。
【背景技術】
【０００２】
従来、かつらの例えば内側周縁に配置されるかつら取付具を用いて、かつらを人の頭髪に固定する手法が知られている。このようなかつら取付具としては、ベース部の長手方向に配列された輪状の複数の櫛歯部を備えるかつら取付具が提案されている（例えば、特許文献１参照）。
【０００３】
なお、かつらを頭髪に取付けるためのものではなく、単なる髪止め具に過ぎないが、複数の櫛歯部それぞれの一部がジグザグに形成された髪止め具が知られている（例えば、特許文献２及び３参照）。
【先行技術文献】
【特許文献】
【０００４】
【特許文献１】特許第４６１２７４３号公報
【特許文献２】実用新案登録第３１３８４８４号公報
【特許文献３】特開２００９−２７９１９９号公報
【発明の概要】
【発明が解決しようとする課題】
【０００５】
ところで、上記のかつら取付具では、複数の櫛歯部のそれぞれが輪状を呈するが、櫛歯部の頭髪への差込みやすさを優先して、直線状に延びる櫛歯部を備える取付具では、頭髪が櫛歯部に引っ掛からなくなる。
【０００６】
なお、かつらベースに毛髪が植毛されたかつらや、取付具に固定された植毛部材に毛髪が植毛された増毛具は、位置ズレが生じると外観が不自然になるため、取付けは強固であることが望まれる。そのため、上記の髪止め具のように、櫛歯部の一部を単にジグザグ状にしただけの髪止め具では、櫛歯部と頭髪との引っ掛かりが、かつらや増毛具に求められる強固さと比較すると不十分である。
【０００７】
本発明の目的は、頭髪に挿入しやすく且つかつらや増毛具を強固に頭髪に取り付けることができる取付具並びにこの取付具を備えるかつら及び増毛具を提供することである。
【課題を解決するための手段】
【０００８】
１つの観点では、取付具は、かつら又は増毛具に用いられる取付具であって、ベース部と、前記ベース部に沿って配列された複数の櫛歯部と、を備え、前記複数の櫛歯部は、該複数の櫛歯部の配列方向の一方側に屈曲又は湾曲するとともに他方側に戻るように屈曲又は湾曲しながら前記櫛歯部の長手方向に延びることで前記配列方向の一方側に突出する突出部を有し、前記突出部の突出量は、前記配列方向において、前記櫛歯部の幅よりも大きい。
【０００９】
また、前記取付具において、前記複数の櫛歯部の前記突出部は、前記長手方向における前記ベース部からの距離が同一の位置で同一方向に突出するとよい。
また、前記取付具において、前記突出部は、前記配列方向において、隣接する前記櫛歯部の手前側の端部よりも遠くまで又は該手前側の端部と同一位置まで、突出するとよい。
【００１０】
また、前記取付具において、前記突出部は、前記配列方向の前記一方側に屈曲又は湾曲して延びる部分と前記他方側に戻るように屈曲又は湾曲して延びる部分とが直角又は略直角をなすとよい。
【００１１】
また、前記取付具において、前記複数の櫛歯部は、自由端である先端側に直進部を有し、前記直進部は、前記櫛歯部における、前記ベース部から前記突出部までの距離よりも長いとよい。
【００１２】
また、前記取付具において、前記複数の櫛歯部は、突出方向が反対方向となる前記突出部である第１の突出部及び前記第２の突出部を有し、前記第１の突出部と前記第２の突出部とは、連続的に設けられているとよい。
【００１３】
また、前記取付具において、前記複数の櫛歯部は、前記突出部に設けられた滑り止め部を更に有するとよい。
また、前記取付具において、前記ベース部に配置された面ファスナを更に備えるとよい。
【００１４】
他の観点では、かつらは、毛髪が植毛されたかつらベースと、前記かつらベースに固定された前記取付具と、を備える。
また、更に別の観点では、増毛具は、毛髪と、前記取付具と、を備える。
【００１５】
また、前記増毛具において、前記取付具に固定され、前記毛髪が植毛される植毛部材を更に備えるとよい。
【発明の効果】
【００１６】
本発明によれば、頭髪に挿入しやすく且つかつらや増毛具を強固に頭髪に取り付けることができる取付具並びにこの取付具を備えるかつら及び増毛具を提供することができる。
【図面の簡単な説明】
【００１７】
【図１】本発明の一実施の形態に係る取付具（Ｒ加工前）を示す正面図である。
【図２】本発明の一実施の形態に係る取付具（Ｒ加工前）の左半分を示す拡大正面図である。
【図３】本発明の一実施の形態に係る取付具（Ｒ加工後）を示す底面図である。
【図４Ａ】本発明の一実施の形態に係る取付具（Ｒ加工後）を示す正面図である。
【図４Ｂ】本発明の一実施の形態に係る取付具（Ｒ加工後）を示す左側面図である。
【図４Ｃ】本発明の一実施の形態に係る取付具（Ｒ加工後）を示す左側面側斜視図である。
【図４Ｄ】本発明の一実施の形態に係る取付具（Ｒ加工後）を示す底面側斜視図である。
【図５】本発明の一実施の形態の変形例に係る取付具（Ｒ加工前で且つ滑り止め部及び面ファスナが設けられた状態）を示す背面図である。
【図６】本発明の一実施の形態に係るかつらの内側を示す斜視図である。
【図７】本発明の他の実施の形態に係る増毛具（Ｒ加工前）を示す正面図である。
【発明を実施するための形態】
【００１８】
以下、本発明の実施の形態に係る取付具、かつら、及び増毛具について、図面を参照しながら説明する。まず、一実施の形態では、取付具１、変形例に係る取付具２、及び、この変形例に係る取付具２を備えるかつら１００について説明し、他の実施の形態では、毛髪３０２が植毛される植毛部材３０１が取付具１に固定された増毛具３００について説明する。
【００１９】
図１は、一実施の形態に係る取付具１（Ｒ加工前）を示す正面図である。
図２は、取付具１（Ｒ加工前）の左半分を示す拡大正面図である。
図３は、取付具１（Ｒ加工後）を示す底面図である。
【００２０】
図４Ａ〜図４Ｄは、取付具１（Ｒ加工後）を示す正面図、左側面図、左側面側斜視図、及び底面側斜視図である。
図１及び図２では、取付具１がＲ加工前（平面状）の状態で示されているが、取付具１は、図３に示すように左右両端から中央にかけて盛り上がるようにＲ加工され、図４Ａ〜図４Ｄに示すように曲面状に形成される。
【００２１】
図１及び図２に示すように、取付具１は、ベース部１０と、このベース部１０の長手方向に沿って配列された複数（例えば１２本）の櫛歯部２０と、を備える。ベース部１０及び複数の櫛歯部２０は、例えば、プラスチック材料から一体に成形されている。但し、ベース部１０及び櫛歯部２０の材料は、金属やその他の材料であってもよい。また、ベース部１０とは別体の複数の櫛歯部２０がそれぞれベース部１０に固定されていてもよい。
【００２２】
あくまで一例であるが、取付具１の寸法は、櫛歯部２０の配列方向Ｄ１における長さが４５ｍｍであり、櫛歯部２０の長手方向Ｄ２における長さが２５ｍｍであり、厚みが１ｍｍである。また、櫛歯部２０の間隔は例えば４ｍｍである。もちろん、取付具１の寸法及び櫛歯部２０の間隔は、特に制限されない。
【００２３】
ベース部１０は、例えば薄板形状を呈する。ベース部１０には、例えば３箇所に取付用孔１０ａが設けられている。取付具１は、図１及び図２に示す正面とは反対側の裏面が後述する図６に示すかつら１００（かつらベース１０１）の内側の面に接した状態で、取付用孔１０ａにおいて例えば縫い付けによりかつら１００に固定される。
【００２４】
櫛歯部２０は、例えば棒状或いは帯状（薄板状）を呈する。また、櫛歯部２０は、第１の突出部２１と、第２の突出部２２と、直進部２３と、を有する。なお、図１の左右両端の櫛歯部２０は、第２の突出部２２を有さない。また、図１の左右両端の櫛歯２０から中央の櫛歯２０に近づくほど、櫛歯２０の長さが長くなっている。
【００２５】
図２に示すように、第１の突出部２１及び第２の突出部２２は、複数の櫛歯部２０の配列方向Ｄ１の一方側に屈曲するとともに他方側に戻るように屈曲しながら櫛歯部２０の長手方向Ｄ２に延びることで配列方向Ｄ１の一方側に突出する。
【００２６】
つまり、櫛歯部２０における固定端であるベース部１０側から自由端である先端側に向かって、第１の突出部２１は、まず左側に屈曲し、その後右側に戻るように屈曲し、第２の突出部２２は、まず右側に屈曲し、その後左側に戻るように屈曲する。このように、第１の突出部２１の突出方向は、図１及び図２では左方向であり、第２の突出部２２の突出方向は、図１及び図２では右方向であるため、第１の突出部２１の突出方向と第２の突出部２２の突出方向とは、反対方向である。
【００２７】
第１の突出部２１及び第２の突出部２２は、それぞれＶ字形状を呈する。なお、第１の突出部２１及び第２の突出部２２は、屈曲するのではなく湾曲するのでもよい。
第１の突出部２１及び第２の突出部２２は、配列方向Ｄ１の一方側に屈曲して延びる部分と他方側に戻るように屈曲して延びる部分との角度θ１，θ２が直角又は略直角である。ここで、略直角は、８５度〜９５度（直角の９０度を除く）をいうものとする。
【００２８】
第１の突出部２１は、櫛歯部２０のうちベース部１０側の端部近傍に設けられている。また、第２の突出部２２は、第１の突出部２１と連続的に（つまり、直進部等の他の部分を挟まず）設けられている。なお、櫛歯部２０のうち第１の突出部２１よりもベース部１０側には、直進部２３と比較して非常に短い直進部が設けられており、この直進部のベース部１０側の端部は、櫛歯部２０の折れ防止のために幅が広くなっている。
【００２９】
図２に示すように、第１の突出部２１及び第２の突出部２２の突出量は、配列方向Ｄ１において、櫛歯部２０の幅Ｗよりも大きい。つまり、第１の突出部２１及び第２の突出部２２は、これら第１の突出部２１及び第２の突出部２２が設けられていない場合の仮想直進部（二点鎖線）を跨ぐように配列方向Ｄ１の一方側に屈曲し、その後、他方側に屈曲する。
【００３０】
複数の櫛歯部２０の第１の突出部２１は、長手方向Ｄ２におけるベース部１０からの距離が同一の位置（長さＬ１）で同一方向（図２では左側）に突出する。同様に、複数の櫛歯部２０の第２の突出部２２は、長手方向Ｄ２におけるベース部１０からの距離が同一の位置（長さＬ２）で同一方向（図２では右側）に突出する。そのため、櫛歯部２０（第２の突出部２２が設けられていない図１の左右両端の櫛歯部２０を除く）間の空間は、配列方向Ｄ１における幅が場所によらず一定になっている。
【００３１】
櫛歯部２０は、第１の突出部２１及び第２の突出部２２が互いに反対方向に櫛歯部２０の幅Ｗよりも大きく突出するため、櫛歯部２０全体の配列方向Ｄ１に亘る幅Ｒ１は、櫛歯２０の幅Ｗと比較して、３倍以上になっている。
【００３２】
例えば図２の左から４番目の櫛歯部２０全体（幅Ｒ１）は、例えば図２の左から５番目の櫛歯部２０全体（幅Ｒ２）と、配列方向Ｄ１において一部重複することになる。そのため、例えば図２の左から４番目の櫛歯部２０の第２の突出部２２は、配列方向Ｄ１において、隣接する図２の左から５番目の櫛歯部２０の手前側の端部（つまり、第１の突出部２１の突出方向の先端）よりも遠くまで突出する。
【００３３】
なお、上記の櫛歯部２０全体（幅Ｒ１，幅Ｒ２）が配列方向Ｄ１において重複せず且つ隙間を有さず隣り合わせになっている場合には、図２の左から４番目の櫛歯部２０の第２の突出部２２は、配列方向Ｄ１において、隣接する図２の左から５番目の櫛歯部２０の手前側の端部と同一位置まで突出することになる。
【００３４】
直進部２３は、櫛歯部２０のうち自由端である先端側に位置する。直進部２３は、櫛歯部２０における、ベース部１０から第１の突出部２１までの距離（第１の突出部２１は長手方向Ｄ２に幅を有するため第１の突出部２１の手前側までの距離であり、長さＬ１ではなく、上述のように櫛歯部２０のうち第１の突出部２１よりもベース部１０側の短い直進部の長さ）よりも長い。なお、図２の左から３〜６番目の櫛歯部２０の直進部２３は、ベース部１０から第２の突出部２２までの距離よりも長い。
【００３５】
図５は、本実施の形態の変形例に係る取付具２（Ｒ加工前で且つ滑り止め部３１，３２及び面ファスナ４０が設けられた状態）を示す背面図である。
図５に示すように、取付具２には、滑り止め部３１，３２及び面ファスナ４０が設けられるとよい。なお、図１及び図２が正面図であるのに対し、図５は背面図であるため、図５では、第１の突出部２１及び第２の突出部２２の突出方向が図１及び図２とは反対になっている。
【００３６】
滑り止め部３１は、各櫛歯部２０の第１の突出部２１のうち、ベース部１０側から先端側に向かって、図５の左側に戻るように屈曲する部分の例えば全体に設けられている。また、滑り止め部３２は、各櫛歯部２０の第２の突出部２２のうち、ベース部１０側から先端側に向かって、図５の右側に戻るように屈曲する部分の例えば全体に設けられている。なお、滑り止め部３１，３２は、第１の突出部２１及び第２の突出部２２の少なくとも一方のうちの全部又は任意の一部の箇所に設けられていればよい。
【００３７】
滑り止め部３１，３２は、櫛歯部２０よりも摩擦係数が高いものであればよく、例えば、プラスチック材料を第１の突出部２１及び第２の突出部２２に塗布することによって形成されている。或いは、滑り止め部３１，３２は、櫛歯部２０の表面に凹凸を設けるなど、櫛歯部２０の表面粗さを粗くすることで、櫛歯部２０とは別体ではなく櫛歯部２０と一体に設けられていてもよい。
【００３８】
面ファスナ４０は、ベース部１０のほぼ全体に亘るようにベース部１０の裏面（図３に示すＲ加工後の内周側の面）に設けられている。面ファスナ４０には、複数の係止部が設けられている。この係止部は、例えば、棒状部分の先端に膨出部が形成されたマッシュルーム型、フック型、Ｔ字型（先端において長手方向に直交する棒状部が形成された形状）など、後述する図６に示す頭髪２０１を少なからず係止しうるものであれば、特に制限されない。
【００３９】
図６は、一実施の形態に係るかつら１００の内側を示す斜視図である。
かつら１００は、毛髪（例えば、人工毛髪又は人毛）１０２が植毛されたかつらベース１０１を有する。
【００４０】
図５に示すように滑り止め部３１，３２及び面ファスナ４０を設けた状態の取付具２は、かつらベース１０１の内側の面において、例えば前後左右の周縁に４つ固定されるとよい。なお、取付具２をかつらベース１０１に固定する数は、１つ以上であればいくつでもよい。また、図５に示す取付具２に代えて図１〜図４Ｄに示す取付具１をかつら１００に固定してもよい。
【００４１】
取付具２は、例えば、櫛歯部２０の先端がかつらベース１０１の中心に向くように、例えば、かつら１００を装着する人の頭部２００の頭髪２０１の毛流れと反対方向に向くように、配置されているとよい。
【００４２】
以上説明した本実施の形態では、取付具１，２は、ベース部１０と、このベース部１０に沿って配列された複数の櫛歯部２０と、を備える。また、複数の櫛歯部２０は、突出部の一例である第１の突出部２１及び第２の突出部２２を有する。これら第１の突出部２１及び第２の突出部２２は、複数の櫛歯部２０の配列方向Ｄ１の一方側に屈曲又は湾曲するとともに他方側に戻るように屈曲又は湾曲しながら櫛歯部２０の長手方向Ｄ２に延びることで配列方向Ｄ１の一方側に突出する。第１の突出部２１及び第２の突出部２２の突出量は、配列方向Ｄ１において、櫛歯部２０の幅Ｗよりも大きい。
【００４３】
そのため、櫛歯部２０を例えば棒状或いは帯状にして頭髪２０１への挿入を容易にしても、第１の突出部２１及び第２の突出部２２に人の頭部２００の頭髪２０１を引っ掛かりやすくすることができる。よって、本実施の形態に係る取付具１，２によれば、頭髪２０１に挿入しやすく且つかつら１００を強固に頭髪２０１に取り付けることができる。
【００４４】
また、本実施の形態では、複数の櫛歯部２０の第１の突出部２１及び第２の突出部２２のそれぞれは、櫛歯部２０の長手方向Ｄ２におけるベース部１０からの距離Ｌ１，Ｌ２が同一の位置で同一方向に突出する。そのため、櫛歯部２０間の空間の配列方向Ｄ１における幅を長手方向Ｄ２に亘って一定に近づけることができる。したがって、櫛歯部２０を頭髪２０１により一層挿入しやすくすることができる。
【００４５】
また、本実施の形態では、第１の突出部２１及び第２の突出部２２は、配列方向Ｄ１において、隣接する櫛歯部２０の手前側の端部よりも遠くまで又はこの手前側の端部と同一位置まで、突出する。そのため、第１の突出部２１及び第２の突出部２２に頭髪２０１をより一層引っ掛かりやすくすることができる。したがって、かつら１００をより一層強固に頭髪２０１に取り付けることができる。
【００４６】
また、本実施の形態では、第１の突出部２１及び第２の突出部２２は、配列方向Ｄ１の一方側に屈曲又は湾曲して延びる部分と他方側に戻るように屈曲又は湾曲して延びる部分とが直角又は略直角をなす（角度θ１，θ２）。そのため、第１の突出部２１及び第２の突出部２２に頭髪２０１をより一層引っ掛かりやすくすることができる。したがって、かつら１００をより一層強固に頭髪２０１に取り付けることができる。
【００４７】
また、本実施の形態では、複数の櫛歯部２０は、自由端である先端側に直進部２３を有し、この直進部２３は、櫛歯部２０における、ベース部１０から第１の突出部２１までの距離（及び第２の突出部２２までの距離）よりも長い。このような直進部２３が設けられていることで、取付具１，２を頭髪２０１により一層挿入しやすくすることができる。
【００４８】
また、本実施の形態では、突出方向が反対方向となる第１の突出部２１と第２の突出部２２とが連続的に設けられている。そのため、第１の突出部２１及び第２の突出部２２に頭髪２０１をより一層引っ掛かりやすくすることができる。したがって、かつら１００をより一層強固に頭髪２０１に取り付けることができる。
【００４９】
また、本実施の形態では、複数の櫛歯部２０は、第１の突出部２１及び第２の突出部２２の少なくとも一方に設けられた滑り止め部３１，３２を更に有する。そのため、第１の突出部２１及び第２の突出部２２に頭髪２０１をより一層引っ掛かりやすくすることができる。したがって、かつら１００をより一層強固に頭髪２０１に取り付けることができる。
【００５０】
また、本実施の形態では、取付具２は、ベース部１０に配置された面ファスナ４０を更に備える。そのため、面ファスナ４０に頭髪２０１を係止することができる。したがって、かつら１００をより一層強固に頭髪２０１に取り付けることができる。
【００５１】
図７は、本発明の他の実施の形態に係る増毛具３００（Ｒ加工前）を示す正面図である。
本実施の形態に係る増毛具３００は、上述の図１〜図４Ｄに示す取付具１に対し、毛髪３０２が植毛される植毛部材３０１が固定されたものであるため、取付具１に関する説明は省略する。
【００５２】
図７に灰色で示すように、取付具１の例えば正面（増毛具３００を図６に示す頭髪２０１に装着したときに外側に露出する面）全面には、例えばネット状の植毛部材３０１が固定されている。なお、植毛部材３０１は、ベース部１０及び櫛歯部２０の両方における正面全面ではなく、一方のみの正面の一部又は正面全面に設けられていてもよいし、一方の正面の一部と他方の正面の一部又は正面全面に設けられていてもよい。また、植毛部材３０１は、取付具１の正面以外の面（裏面、側面など）にも固定されていてもよい。
【００５３】
植毛部材３０１をベース部１０に固定する場合には平面状に貼り付けることができるが、植毛部材３０１を櫛歯部２０に固定する場合には櫛歯部２０に巻きつけるように貼り付けるとよい。なお、貼り付けには、例えば、両面テープや接着剤などを用いるとよい。
【００５４】
植毛部材３０１には、毛髪（例えば、人工毛髪又は人毛）３０２が植毛されている。毛髪３０２が植毛部材３０１に植毛されるタイミングは、植毛部材３０１が取付具１に固定される前でも後でもよい。また、植毛部材３０１が取付具１に固定されるタイミングは、上述のＲ加工の前後どちらであってもよい。
【００５５】
なお、毛髪３０２は、取付具１に例えば結び付けられることで、取付具１に直接植毛されていてもよい。また、増毛具３００（取付具１）の大きさは、特に制限されないが、かつら１００の取り付けに用いられる場合の取付具１よりも大きくなり得る。
【００５６】
以上説明した他の実施の形態においても、増毛具３は、取付具１を備える。そのため、本実施の形態によっても、上述の一実施の形態と同様に、頭髪２０１に挿入しやすく且つ増毛具３を強固に頭髪２０１に取り付けることができる。
【００５７】
なお、以上説明した一実施の形態及び他の実施の形態では、突出部の一例である第１の突出部２１及び第２の突出部２２などに関する種々の構成を説明したが、少なくとも２本の櫛歯部２０における第１の突出部２１及び第２の突出部２２の少なくとも一方の突出量が、配列方向Ｄ１において、櫛歯部２０の幅Ｗよりも大きいという関係を満たせば上述の構成は適宜変更可能である。また、上記の関係を満たさずに他の構成を有する取付具、かつら、及び増毛具を採用してもよい。
【符号の説明】
【００５８】
１，２      取付具
１０      ベース部
１０ａ      取付用孔
２０      櫛歯部
２１      第１の突出部
２２      第２の突出部
２３      直進部
３１，３２      滑り止め部
４０      面ファスナ
４０ａ      取付用孔
１００      かつら
１０１      かつらベース
１０２      毛髪
２００      人の頭部
２０１      頭髪
３００      増毛具
３０１      植毛部材
３０２      毛髪
Ｄ１      櫛歯部の配列方向
Ｄ２      櫛歯部の長手方向
Ｌ１      第１の突出部のベース部からの距離
Ｌ２      第２の突出部のベース部からの距離
Ｗ      櫛歯部の幅
【図１】
0006559449.tif 000002
【図２】
0006559449.tif 000003
【図３】
0006559449.tif 000004
【図４Ａ】
0006559449.tif 000005
【図４Ｂ】
0006559449.tif 000006
【図４Ｃ】
0006559449.tif 000007
【図４Ｄ】
0006559449.tif 000008
【図５】
0006559449.tif 000009
【図６】
0006559449.tif 000010
【図７】
0006559449.tif 000011